(57)【要約】    【課題】  床面や棚等の上に放置してもブレード部の先端縁部に恒久的な変形が生じることが避けられる処理器の提供。    【解決手段】    縦方向に沿う把手状部Ｈと、対象面についての処理を行うための先端縁部Ｅを有するブレード部Ｂと、ブレード部Ｂをその基部側部Ｓにおいて支持するブレード支持部Ｍを備え、ブレード支持部Ｍは、把手状部Ｈの先端側に結合し、ブレード部Ｂの先端縁部Ｅは、把手状部Ｈから、把手状部Ｈの先端側に離隔し且つその把手状部Ｈの背面側に離隔した位置で把手状部Ｈに対し横方向に伸び背面側を向き、把手状部Ｈの背面側のうち先端側所定箇所Ｘと基端側所定箇所Ｙにおいて水平面Ｌ上に支持されてブレード部Ｂの先端縁部Ｅが前記水平面Ｌよりも上方に位置する。【選択図】      図１
2020065615.tif 000002
【特許請求の範囲】
【請求項１】
把手状部と、対象面についての処理を行うための先端縁部を有するブレード部と、前記ブレード部をその基部側において支持するブレード支持部を少なくとも備えてなる処理器であって、
前記把手状部は縦方向に沿うものであり、
前記ブレード支持部は、前記把手状部の縦方向の先端側に直接又は他の部材を介して結合しており、
前記ブレード部の先端縁部は、前記把手状部に対し前記縦方向におけるその把手状部の先端側に離隔し且つその把手状部の背面側に離隔した位置から、所要方向に伸び、前記把手状部に対し背面側を向くものであり、
前記把手状部の背面側のうち前記縦方向における先端側又は前記把手状部の背面側のうち前記縦方向における先端側とブレード支持部の背面側にわたる部分における所定箇所である先端側所定箇所Ｘと前記把手状部の基端側における所定箇所である基端側所定箇所Ｙ又はそれらの両箇所とその両箇所の間の部分において水平面上に支持され得、そのように水平面上に支持された場合に、前記ブレード部の先端縁部が前記水平面よりも上方に位置することを特徴とする、対象面についての処理を行うための処理器。
【請求項２】
上記ブレード部の先端縁部が、上記把手状部に対し、上記基端側所定箇所Ｙ及び先端側所定箇所Ｘよりも背面側に突出している請求項１記載の処理器。
【請求項３】
上記先端側所定箇所Ｘが、上記把手状部に対し、上記基端側所定箇所Ｙよりも背面側に突出している請求項２記載の処理器。
【請求項４】
上記ブレード部の先端縁部は、上記基端側所定箇所Ｙに対し、上記先端側所定箇所Ｘよりも背面側に突出している請求項１乃至３の何れか１項に記載の処理器。
【請求項５】
上記把手状部の縦方向における先端側又は上記把手状部の縦方向における先端側とブレード支持部にわたる部分の背面側に、前記把手状部の背面側に突出して前記縦方向における基端側に向かう鉤状部を有するフック状部を備える請求項１乃至４の何れか１項に記載の処理器。
【請求項６】
上記鉤状部が、上記先端側の先端側所定箇所Ｘを構成するものである請求項５記載の処理器。
【請求項７】
上記把手状部の縦方向における先端側の背面側に備えるフック状部のうち正面側部分が、前記把手状部の正面側への切欠状部により構成され、
前記フック状部を被掛止部に掛けた場合の支点部が、前記切欠状部が存在しない場合に比し正面側寄りとなる請求項５又は６記載の処理器。
【請求項８】
上記把手状部の上記縦方向における先端側の背面側に、前記把手状部を把持した状態で把持した手の何れかの指を掛けることができる正面側への切欠状部を有する請求項１乃至７の何れか１項に記載の処理器。
【請求項９】
上記ブレード部の先端縁部は、上記把手状部に対し上記縦方向におけるその把手状部の先端側に離隔し且つその把手状部の背面側に離隔した位置から、前記把手状部に対し横方向に伸び、前記把手状部に対し背面側を向くものである請求項１乃至８の何れか１項に記載の処理器。
【請求項１０】
上記ブレード部は、基部側が変形性の低い材料からなり、先端側が弾力性を有する材料からなるものである請求項１乃至９の何れか１項に記載の処理器。
【請求項１１】
上記ブレード部の先端縁部が上記把手状部に対し背面側を向く角度は、前記縦方向における把手状部の基端から先端への向きに傾斜する角度である請求項１乃至１０の何れか１項に記載の処理器。
【発明の詳細な説明】
【技術分野】
【０００１】
本発明は、浴室の壁面・タイル面及び目地・ガラス面・窓・扉・天井・浴槽表面、その他の窓ガラス面、壁面、その他の表面等の対象面について、水滴や結露の水切り等の処理を行うための処理器に関する。
【背景技術】
【０００２】
特開２０１１−２０１号公報には、エラストマー製のブレード部（Ｂ）と、そのブレード部（Ｂ）を支持するブレード支持部Ｊを先端側に有し、把手部（Ｈ）を基端側に有する支持体（Ｓ）とを有してなり、対象面（Ｆ）に付着した水滴等をブレード部（Ｂ）により掻き寄せて水切りを行うための水切り器の発明が開示されている。
【０００３】
エラストマー製のブレード部（Ｂ）の先端縁部は、水切り処理上重要な部分であるが、不用意に床面や棚等の上に放置しておくと、ブレード部（Ｂ）の先端縁部に恒久的な変形が生じることが生じかねない。
【先行技術文献】
【特許文献】
【０００４】
【特許文献１】特開２０１１−２０１号公報
【発明の概要】
【発明が解決しようとする課題】
【０００５】
本発明は、床面や棚等の上に放置してもブレード部の先端縁部に恒久的な変形が生じることが避けられる処理器を提供することを目的とする。
【課題を解決するための手段】
【０００６】
本発明の処理器は、次のように表すことができる。
【０００７】
(1) 把手状部と、対象面についての処理を行うための先端縁部を有するブレード部と、前記ブレード部をその基部側において支持するブレード支持部を少なくとも備えてなる処理器であって、
前記把手状部は縦方向に沿うものであり、
前記ブレード支持部は、前記把手状部の縦方向の先端側に直接又は他の部材を介して結合しており、
前記ブレード部の先端縁部は、前記把手状部に対し前記縦方向におけるその把手状部の先端側に離隔し且つその把手状部の背面側に離隔した位置から、所要方向に伸び、前記把手状部に対し背面側を向くものであり、
前記把手状部の背面側のうち前記縦方向における先端側又は前記把手状部の背面側のうち前記縦方向における先端側とブレード支持部の背面側にわたる部分における所定箇所である先端側所定箇所Ｘと前記把手状部の基端側における所定箇所である基端側所定箇所Ｙ又はそれらの両箇所とその両箇所の間の部分において水平面上に支持され得、そのように水平面上に支持された場合に、前記ブレード部の先端縁部が前記水平面よりも上方に位置することを特徴とする、対象面についての処理を行うための処理器。
【０００８】
処理器は、把手状部の背面側のうち前記縦方向における先端側又は前記把手状部の背面側のうち前記縦方向における先端側とブレード支持部の背面側にわたる部分における所定箇所である先端側所定箇所Ｘと前記把手状部の基端側における所定箇所である基端側所定箇所Ｙ又はそれらの両箇所とその両箇所の間の部分において水平面上に支持され得、そのように水平面上に支持された場合に、ブレード部の先端縁部が前記水平面よりも上方に位置する。
【０００９】
そのため、処理器を前記のように支持される状態で水平面上に載置しても、ブレード部のうち対象面についての処理を行うための先端縁部が、前記水平面に接することにより、変形して形状が復元しなかったり、損傷を受けることが回避される。
【００１０】
また、処理器を、その正面側を下側として水平面上に載置した場合は、ブレード部のうち対象面についての処理を行うための先端縁部は、把手状部に対し前記縦方向におけるその把手状部の先端側に離隔し且つその把手状部の背面側に離隔した位置から、所要方向に伸び、前記把手状部に対し背面側を向くものであるため、前記水平面に接することは回避される。
【００１１】
(2) 上記ブレード部の先端縁部が、上記把手状部に対し、上記基端側所定箇所Ｙ及び先端側所定箇所Ｘよりも背面側に突出している上記(1)記載の処理器。
【００１２】
(3) 上記先端側所定箇所Ｘが、上記把手状部に対し、上記基端側所定箇所Ｙよりも背面側に突出している上記(2)記載の処理器。
【００１３】
(4) 上記ブレード部の先端縁部は、上記基端側所定箇所Ｙに対し、上記先端側所定箇所Ｘよりも背面側に突出している上記(1)乃至(3)の何れか１項に記載の処理器。
【００１４】
(5) 上記把手状部の縦方向における先端側又は上記把手状部の縦方向における先端側とブレード支持部にわたる部分の背面側に、前記把手状部の背面側に突出して前記縦方向における基端側に向かう鉤状部を有するフック状部を備える上記(1)乃至(4)の何れか１項に記載の処理器。
【００１５】
(6) 上記鉤状部が、上記先端側所定箇所Ｘを構成するものである上記(5)記載の処理器。
【００１６】
(7) 上記把手状部の縦方向における先端側の背面側に備えるフック状部のうち正面側部分が、前記把手状部の正面側への切欠状部により構成され、
前記フック状部を被掛止部に掛けた場合の支点部が、前記切欠状部が存在しない場合に比し正面側寄りとなる上記(5)又は(6)記載の処理器。
【００１７】
(8) 上記把手状部の上記縦方向における先端側の背面側に、前記把手状部を把持した状態で把持した手の何れかの指を掛けることができる正面側への切欠状部を有する上記(1)乃至(7)の何れか１項に記載の処理器。
【００１８】
(9) 上記ブレード部の先端縁部は、上記把手状部に対し上記縦方向におけるその把手状部の先端側に離隔し且つその把手状部の背面側に離隔した位置から、前記把手状部に対し横方向に伸び、前記把手状部に対し背面側を向くものである上記(1)乃至(8)の何れか１項に記載の処理器。
【００１９】
(10) 上記ブレード部は、基部側が変形性の低い材料からなり、先端側が弾力性を有する材料からなるものである上記(1)乃至(9)の何れか１項に記載の処理器。
【００２０】
(11) 上記ブレード部の先端縁部が上記把手状部に対し背面側を向く角度は、前記縦方向における把手状部の基端から先端への向きに傾斜する角度である上記(1)乃至(10)の何れか１項に記載の処理器。
【発明の効果】
【００２１】
本発明の処理器は、把手状部の背面側のうち前記縦方向における先端側又は前記把手状部の背面側のうち前記縦方向における先端側とブレード支持部の背面側にわたる部分における所定箇所である先端側所定箇所Ｘと前記把手状部の基端側における所定箇所である基端側所定箇所Ｙ又はそれらの両箇所とその両箇所の間の部分において水平面上に支持され得、そのように水平面上に支持された場合に、ブレード部の先端縁部が前記水平面よりも上方に位置する。
【００２２】
そのため、処理器を前記のように支持される状態で水平面上に載置しても、ブレード部のうち対象面についての処理を行うための先端縁部が、前記水平面に接することにより、変形して形状が復元しなかったり、損傷を受けることが回避される。
【００２３】
また、処理器を、その正面側を下側として水平面上に載置した場合は、ブレード部のうち対象面についての処理を行うための先端縁部は、把手状部に対し前記縦方向におけるその把手状部の先端側に離隔し且つその把手状部の背面側に離隔した位置から、所要方向に伸び、前記把手状部に対し背面側を向くものであるため、前記水平面に接することは回避される。
【図面の簡単な説明】
【００２４】
【図１】処理器の背面下方斜視図である。
【図２】処理器の正面上方斜視図である。
【図３】処理器の正面図である。
【図４】処理器の背面図である。
【図５】処理器の平面図である。
【図６】処理器の底面図である。
【図７】処理器の右側面図である。
【図８】処理器の左側面図である。
【図９】処理器の背面上方斜視図である。
【図１０】処理器の正面下方斜視図である。
【図１１】処理器の背面側において水平面上に載置した状態の右側面図である。
【図１２】処理器をタオルバーに掛ける状態を示す斜視図である。
【図１３】処理器をタオルバーに掛けた状態を示す斜視図である。
【発明を実施するための形態】
【００２５】
[1] 本発明の実施の形態を、図面を参照しつつ説明する。
【００２６】
図面は何れも本発明の処理器の実施の形態の一例についてのものである。
【００２７】
(1) この処理器（水切り器）は、把手状部Ｈと、ブレード部Ｂと、ブレード支持部Ｍを備える。
【００２８】
(2) 把手状部Ｈは、処理器を用いるために把持し得る部分であって、縦方向に沿う略円管状をなす。
【００２９】
把手状部Ｈは、その基端開口部Ｊから柄体（図示を略す）の先端部を挿入することにより、延長して使用することができる。把手状部Ｈの基部の正面及び背面には、柄体の先端部に設けられた出没可能な嵌合凸部（図示を略す）が内側から嵌合し得る嵌合孔Ｐが形成されている。
【００３０】
(3) ブレード部Ｂは、浴室の壁面等の対象面について水切り処理を行うための先端縁部Ｅを有する。
【００３１】
ブレード部Ｂの形状は、把手状部Ｈに対し横方向両方に均等状に伸びる板状である。その横断面形状は、先端縁部Ｅに向かって漸次肉厚が薄くなる略楔状である。
【００３２】
ブレード部Ｂの先端縁部Ｅは、把手状部Ｈに対し縦方向におけるその把手状部Ｈの先端側に離隔し且つその把手状部Ｈの背面側に離隔した位置から、左右両横方向に均等にその横方向の直線に沿って伸び、把手状部Ｈに対し背面側を向く。ブレード部Ｂの先端縁部Ｅが前記把手状部に対し背面側を向く角度は、縦方向における把手状部Ｈの基端から先端への向きに傾斜する角度であり、その角度は約３０度である。
【００３３】
(4) ブレード部Ｂの基部側部Ｓは変形性が低い合成樹脂材料からなり、ブレード部Ｂの先端部側はゴム状弾性を示す高分子物質製である。
【００３４】
ブレード支持部Ｍは、ブレード部Ｂをその基部側部Ｓのうち把手状部Ｈの縦方向の先端側付近において支持する。
【００３５】
(5) 把手状部Ｈの縦方向における先端側の背面側には、把手状部Ｈの背面側に突出して縦方向における基端側に向かう鉤状部Ｃを有するフック状部Ｆを備える。
【００３６】
フック状部Ｆのうち正面側部分は、把手状部Ｈの正面側への切欠状部Ｎにより構成され、フック状部Ｆを浴室におけるタオルバー等の被掛止部Ｔに掛けた場合の支点部が、切欠状部Ｎが存在しない場合に比し正面側寄りとなる。
【００３７】
図１２及び図１３に示されるようにフック状部Ｆをタオルバー等の被掛止部Ｔに掛けることにより、不使用時における処理器を、ブレード部Ｂが上方に位置する状態で吊り下げることができる。
【００３８】
また、把手状部Ｈを把持した状態で把持した手の何れかの指を切欠状部Ｎに掛けることにより、把手状部Ｈをより確実に保持して処理器の操作をより的確に行うことができる。
【００３９】
(6) 処理器は、図１１に示されるように鉤状部Ｃの背面側（先端側所定箇所Ｘ）と把手状部Ｈの背面側の基端部Ｒ（基端側所定箇所Ｙ）において水平面Ｌ上に支持され得、そのように水平面Ｌ上に支持された場合に、ブレード部Ｂの先端縁部Ｅが前記水平面Ｌよりも上方に位置する。
【００４０】
ブレード部Ｂの先端縁部Ｅは、把手状部Ｈに対し、把手状部Ｈの背面側の基端部Ｒ及び鉤状部Ｃの背面側よりも背面側に突出している。
【００４１】
鉤状部Ｃの背面側は、把手状部Ｈに対し、把手状部Ｈの背面側の基端部Ｒよりも背面側に突出している。
【００４２】
ブレード部Ｂの先端縁部Ｅは、把手状部Ｈの背面側の基端部Ｒに対し、鉤状部Ｃの背面側よりも背面側に突出している。
【００４３】
[2] 本発明の実施の形態を、上記以外の形態を含めて更に説明する。
【００４４】
(1) 本発明の処理器は、把手状部と、ブレード部と、ブレード支持部を少なくとも備える。
【００４５】
(2) 把手状部は、本発明の処理器を用いるために把持し得る部分である。
【００４６】
把手状部は、例えば中空状であってもよく、中実状であってもよい。
【００４７】
把手状部は縦方向［正面背面方向（前後方向）及び横方向（左右方向）の何れにも直交する方向］に沿うものである。把手状部は、例えば横断面円形状、多角形状又はその他の形状の直棒状若しくは直管状又はこれらの横断面の大きさや形状が変化するもの（例えば縦方向の先端に向かって横断面が縮小するテーパ状）とすることができ、例えば前記縦方向に沿ってやや湾曲するものとすることもできる。
【００４８】
また、本発明の処理器は、把手状部に直接又は他の部材を介して柄やその他の延長材を連結（例えば中空状の把手状部に柄の先端部を挿入連結）して使用することもできる。
【００４９】
(3) ブレード部は、対象面についての処理を行うための先端縁部を有する。
【００５０】
(3-1) ブレード部全体又は少なくとも前記先端縁部は、弾力性を有する材料（好ましくはエラストマー）製とすることができるが、必ずしもこれに限るものではない。ブレード部は、基部側を変形性の低い（剛性が比較的に高い）材料からなるものとし、先端側をエラストマー等の弾力性を有する材料からなるものとすることが好ましい。
【００５１】
先端縁部による対象面（例えば浴室の壁面・タイル面及び目地・ガラス面・窓・扉・天井・浴槽表面、その他の窓ガラス面、壁面、その他の表面）についての処理としては、例えば、対象面上の水滴や結露等の水切りの他、対象面上の液状体に対する平滑化等の処理を挙げることができる。
【００５２】
エラストマーとしては、架橋した天然ゴムや合成ゴム等のゴム状弾性を示す高分子物質又は弾性の顕著な高分子物質、例えばＳＢＲ、ＮＢＲ、シリコーンゴム等を挙げることができる。
【００５３】
ブレード部の形状は、例えば把手状部に対し横方向又はその他の所要方向（例えば前記縦方向に対し傾斜又は平行状をなす方向）に伸びる板状とすることができる。その横断面形状は、例えば、肉厚が比較的薄い方形状や先端縁部に向かって漸次肉厚が薄くなる楔状とすることができるが、これらに限るものではない。
【００５４】
(3-2) ブレード部の先端縁部は、前記把手状部に対し前記縦方向におけるその把手状部の先端側に離隔し且つその把手状部の背面側に離隔した位置から、横方向（好ましくは左右両横方向、より好ましくは左右両横方向に均等）に又はその他の所要方向両方又は一方に伸び（好ましくはその横方向の直線に沿って伸び）、前記把手状部に対し背面側を向くものである。ブレード部の先端縁部が前記把手状部に対し背面側を向く角度は、好ましくは、前記縦方向における把手状部の基端から先端への向きに傾斜する角度であり、その角度は、例えば１５乃至７５度であるが、これに限るものではない。
【００５５】
(4) ブレード支持部は、ブレード部をその基部側において支持する。
【００５６】
ブレード支持部によるブレード部の支持は、把手状部を把持してブレード部の先端縁部により対象面についての処理を行う上で必要な状態で行うことができる。例えば、ブレード部の基部側が変形性の低い材料からなる場合は、ブレード部の基部側のうち把手状部の縦方向の先端側付近においてブレード支持部による支持を行うことができ、ブレード部の基部側が弾力性を有する材料からなる場合のように比較的変形し易い材料からなる場合は、ブレード部の基部側の横方向ほぼ全長にわたりブレード支持部による支持を行うものとすることができる。
【００５７】
ブレード支持部は、前記把手状部の縦方向の先端側に、直接結合するものとすることができる他、連結部材等の他の部材を介して結合するものとすることができる。また、ブレード部を支持したブレード支持部は、把手状部に対し回動可能なもの（例えば所定角度又は所要角度回動させた状態で固定し得るもの）とすることもできる。
【００５８】
(5) 本発明の処理器は、把手状部の背面側のうち縦方向における先端側又は前記把手状部の背面側のうち前記縦方向における先端側とブレード支持部の背面側にわたる部分における所定箇所である先端側所定箇所Ｘと基端側における所定箇所である基端側所定箇所Ｙ（又は、それらの両箇所とその両箇所の間の部分、例えば先端部付近及び基端部付近並びに両箇所の間にわたる部分の全体又は部分）において水平面上に支持され得るものであり、そのように水平面上に支持された場合に、ブレード部の先端縁部が前記水平面よりも上方に位置し、ブレード部の先端縁部が前記水平面に接しないように、先端側所定箇所Ｘと基端側所定箇所Ｙ（又は、それらの両箇所とその両箇所の間の部分、例えば先端部付近及び基端部付近並びに両箇所の間にわたる部分の全体又は部分）が形成されている。
【００５９】
(5-1) ブレード部の先端縁部は、把手状部に対し、前記基端側所定箇所Ｙ及び前記先端側所定箇所Ｘよりも背面側に突出しているものとすることができる。
【００６０】
(5-2) 前記先端側所定箇所Ｘは、把手状部に対し、前記基端側所定箇所Ｙよりも背面側に突出しているものとすることができる。
【００６１】
(5-3) ブレード部の先端縁部は、前記基端側所定箇所Ｙに対し、前記先端側所定箇所Ｘよりも背面側に突出しているものとすることができる。
【００６２】
(6) 上記把手状部の縦方向における先端側又は上記把手状部の縦方向における先端側とブレード支持部にわたる部分の背面側には、前記把手状部の背面側に突出して前記縦方向における基端側に向かう鉤状部を有するフック状部を備えるものとすることができる。
【００６３】
このフック状部を、被掛止部、例えば、浴室又はその他におけるタオル又はその他の物を掛けるために壁面部等に設けられた水平バー、リング、紐等に掛けることにより、不使用時における本発明の処理器を、ブレード部が上方に位置する状態で（或いは、更に被掛止部が設けられた壁面部等に把手状部の基端部付近が接する状態で）吊り下げることができる。
【００６４】
(6-1) 上記鉤状部は、上記先端側所定箇所Ｘを構成するものとすることができる。
【００６５】
この場合、本発明の処理器は、前記鉤状部の背面側と前記基端側所定箇所Ｙ（又は、それらの両箇所とその両箇所の間の部分）において水平面上に支持され得、そのように水平面上に支持された場合に、ブレード部の先端縁部が前記水平面よりも上方に位置する。
【００６６】
(6-2) 上記把手状部の縦方向における先端側の背面側に備えるフック状部のうち正面側部分が、前記把手状部の正面側への切欠状部により構成され、前記フック状部を被掛止部に掛けた場合の支点部が、前記切欠状部が存在しない場合に比し正面側寄りとなるものとすることができる。
【００６７】
この場合、フック状部を被掛止部に掛けたときに、ブレード部が位置する前記縦方向の先端側が正面側へ傾きすぎること（それにより場合によってはフック状部が被掛止部から離脱すること）が防がれる。
【００６８】
(7) 上記把手状部の上記縦方向における先端側の背面側に、前記把手状部を把持した状態で把持した手の何れかの指を掛けることができる正面側への切欠状部を有するものとすることができる。
【００６９】
把手状部を把持した手の何れかの指を前記切欠状部に掛けることにより、把手状部をより確実に保持して処理器の操作をより的確に行うことができる。
【００７０】
また、上記フック状部のうち正面側部分が、前記把手状部を把持した状態で把持した手の何れかの指を掛けることができる正面側への切欠状部により構成されているものとすることができる。
【符号の説明】
【００７１】
Ｂ      ブレード部
Ｃ      鉤状部
Ｅ      先端縁部
Ｆ      フック状部
Ｈ      把手状部
Ｊ      基端開口部
Ｌ      水平面
Ｍ      ブレード支持部
Ｎ      切欠状部
Ｐ      嵌合孔
Ｒ      基端部
Ｓ      基部側部
Ｔ      被掛止部
【図１】
2020065615.tif 000003
【図２】
2020065615.tif 000004
【図３】
2020065615.tif 000005
【図４】
2020065615.tif 000006
【図５】
2020065615.tif 000007
【図６】
2020065615.tif 000008
【図７】
2020065615.tif 000009
【図８】
2020065615.tif 000010
【図９】
2020065615.tif 000011
【図１０】
2020065615.tif 000012
【図１１】
2020065615.tif 000013
【図１２】
2020065615.tif 000014
【図１３】
2020065615.tif 000015